(57)【要約】【課題】トタンを曲げる，切断をするなどの加工技術は職人が師匠に教わり長年に渡ってその道一筋に苦労をして来た分野であるが，年齢とともに体力や腕力がなくなって来て作業が思うように出来なくなって来るので，腕力が弱くなっても仕事が出来るトタン曲げ具を提供する。【解決手段】長方形の鉄製の平板でトタン押さえ部（１）を設け，そのトタン押さえ部にコの字型の厚手の鉄板を取っ手としてボルトで固定させ，更に取っ手を延長して手で押さえる面積も広くした。トタン押さえ部の反対側に折り曲げ部を蝶番で連結し，一番右端にＬ型鋼を反対向きに固定し，その縦面の内側にＬ型の鉄板で，折り曲げ部取っ手を取り付け，更に折り曲げ部の裏側には，トタンを折り曲げるＬ型鋼をボルトで取り付け，トタン押さえ部の裏面にはトタンに傷がつかないように柔らかい合成樹脂を密着固定させた腕力が弱くても曲げられるトタン曲げ具であることを特徴とする。【選択図】図１
2014025284.tif 000002
【特許請求の範囲】
【請求項１】
厚手の長方形の鉄製の平板でトタン押さえ部（１）を設け，そのトタン押さえ部（１）の一番左端の中間にコの字型の厚手の鉄板をコの字から左に１８０度回転させて，トタン押さえ部（１）にボルトで固定させ，トタン押さえ部取っ手（２）とし，更にコの字の縦面に同じ幅のＬ型の鉄製板を背中合わせに固定させ，押さえ部取っ手延長部（１０）とし，トタン押さえ部（１）の右反対側に折り曲げ部（３）を蝶番（５）で連結し，一番右端にＬ型鋼（６−２）をＬの字から左に１８０度回転させて，折り曲げ部（３）にボルトで固定させ，更にＬ型鋼（６−２）の内側にＬ型の鉄板をＬの字から左に１８０度回転させてボルトで固定して折り曲げ部取っ手（４）とし，更に折り曲げ部（３）の裏側には，トタンを折り曲げるＬ型鋼（６）をＬの字から右に９０度回転させて，折り曲げ部（３）の下に  ボルトで取り付け，トタン押さえ部（１）の裏面に，柔らかい合成樹脂（７）を密着固定させた，腕力が弱くても曲げられるトタン曲げ具。
【請求項２】
ボルトで固定することに替えて，電気溶接で固定する請求項１記載の腕力が弱くても曲げられるトタン曲げ具。
【発明の詳細な説明】
【技術分野】
【０００１】
本発明は、工場や屋根の上等でトタンを曲げる際に、少ない力で美しく正確に曲げることが出来る器具に関するものである。
【背景技術】
【０００２】
従来、トタン屋根を葺く時は  特許文献１のように、トタンの端を１８０度に折り曲げてかみ合わせて葺いてきた。
【先行技術文献】
【特許文献】
【０００３】
【特許文献１】特開２００１−２２０８６１広報ＤＢ
【特許文献２】特公平０７−０７４５３２広報ＤＢ
【特許文献３】実公昭６３−４４１７６広報ＤＢ
【発明の概要】
【発明が解決しようとする課題】
【０００４】
トタンの屋根を葺くために、トタンを曲げる，切断をするなどの加工技術は職人が師匠に教わり長年に渡ってその道一筋に苦労をして来た分野である。トタン屋根の材料は、工場や屋根で端を９０度に曲げたり，１８０度に曲げたり加工しなければならない。９０度に折り曲げる器具は沢山あるが、１８０度に折り曲げる簡単な器械は少ない。職人が木槌や色々な工具，道具を使用して折り曲げて、屋根を葺くのが通常行われている。
しかし，長年経験してきた仕事であっても年齢とともに体力や腕力がなくなり、作業が思うように出来なくなって来る事は，誰しも経験することであり、これらの問題を解決するためになされたものである。
【課題を解決するための手段】
【０００５】
課題を解決するために本発明は，以下の構成とした。
厚手の長方形の鉄製の平板でトタン押さえ部（１）を設け，そのトタン押さえ部（１）の一番左端の中間にコの字型の厚手の鉄板をコの字から左に１８０度回転させて，トタン押さえ部（１）にボルトで固定させ，トタン押さえ部取っ手（２）とし，更にコの字の縦面に同じ幅のＬ型の鉄製板を背中合わせに固定させ，押さえ部取っ手延長部（１０）とした。
トタン押さえ部（１）の右反対側に折り曲げ部（３）を蝶番（５）で連結し，一番右端にＬ型鋼（６−２）をＬの字から左に１８０度回転させて，折り曲げ部（３）にボルトで固定させ，更にＬ型鋼（６−２）の内側にＬ型の鉄板をＬの字から左に１８０度回転させてボルトで固定して折り曲げ部取っ手（４）とした。
更に折り曲げ部（３）の裏側には，トタンを折り曲げるＬ型鋼（６）をＬの字から右に９０度回転させて，折り曲げ部（３）の下に  ボルトで取り付け，トタン押さえ部（１）の裏面にはトタンに傷がつかないように柔らかい合成樹脂（７）を貼り付けた。
トタン押さえ部（１）の下に９０度に曲げたトタン（１１）を折り曲げた箇所を下向に設置して，トタン押さえ部取っ手（２）を手で押さえ，反対の手で，折り曲げ部取っ手を下に力を加えるとトタンを１８０度に曲げる事ができる。これにより，年齢的に体力や腕力がなくなった人でも簡単にトタンを曲げる事ができる。
【発明の効果】
【０００６】
イ，腕力がなくても曲げられるトタン曲げ具を使用することにより，若い人と同じく又は，それ以上の能率を上げる事ができる。
ロ，若い人がトタン曲げ具を使用すると一層楽に能率を上げた仕事をする事が出来る。
ハ，企業として能率向上に役立ち収益性が高まる。
【図面の簡単な説明】
【０００７】
【図１】使用斜視図
【図２】正面図
【図３】平面図
【図４】底面図
【発明を実施するための形態】
【０００８】
トタン押さえ部    
厚手の長方形の鉄製の平板でトタン押さえ部（１）を設け，そのトタン押さえ部（１）の一番左端の中間にコの字型の厚手の鉄板をコの字から左に１８０度回転させて，トタン押さえ部（１）にボルトで固定させ，トタン押さえ部取っ手（２）とした。
更にコの字の縦面に同じ幅のＬ型の鉄製板を背中合わせに固定させ，押さえ部取っ手延長部（１０）とした。
トタン押さえ部（１）の裏面にはトタンに傷がつかないように柔らかい合成樹脂（７）を貼り付けた。
この部分は、トタンを１８０度曲げる時、トタンを押さえる部分である。
【０００９】
トタン折り曲げ部
トタン押さえ部（１）の右反対側に折り曲げ部（３）を設ける。
トタン折り曲げ部は、一番右端にＬ型鋼（６−２）をＬの字から左に１８０度回転させて，折り曲げ部（３）にボルトで固定させ，更にＬ型鋼（６−２）の内側にＬ型の鉄板をＬの字から左に１８０度回転させてボルトで固定して折り曲げ部取っ手（４）とした。
更に折り曲げ部（３）の裏側には，トタンを折り曲げるＬ型鋼（６）をＬの字から右に９０度回転させて，折り曲げ部（３）の下に  ボルトで取り付ける。
トタン押さえ部（１）とトタン折り曲げ部（３）を蝶番（５）で連結させる。
使い方は、トタン（１１）を作業机の上に置く。この時、９０度に折れ曲がった部分（８）が作業台の端から外に出るようにずらしておく。
トタン押さえ部をトタンの上に置いて、トタンがずれないように力を入れる。
９０度折れ曲がった部分（８）にＬ型鋼（６）にあてがい、蝶番（５）を中心にトタン折り曲げ部を下方に回転させる。これによりトタン（１１）を（８）の部分で１８０度折り曲げることができる。
腕力が落ちると，仕事の時間がかかるだけでなく仕上がりの上手・下手の影響にも繋がる。従って若い人も，腕力が無くなって来た人も，本発明のトタン曲げ具を工具として使用することは，技術力の向上にも役立つものである。これにより，年齢的に体力や腕力がなくなった人でも簡単にトタンを曲げる事ができる構造とした。
【符号の説明】
【００１０】
（１）  押さえ部
（２）  押さえ部取っ手
（３）  折り曲げ部
（４）  折り曲げ部取っ手
（５）  蝶番
（６）  Ｌ型鋼
（６−２）折り曲げ部取っ手用Ｌ型鋼
（７）  柔らかい合成樹脂
（８）  トタンを１８０度に曲げる箇所
（９）  ボルト
（10）  押さえ部取っ手延長部
（11）  トタン
【図１】
2014025284.tif 000003
【図２】
2014025284.tif 000004
【図３】
2014025284.tif 000005
【図４】
2014025284.tif 000006
【手続補正書】
【提出日】平成24年10月16日(2012.10.16)
【手続補正１】
【補正対象書類名】特許請求の範囲
【補正対象項目名】請求項１
【補正方法】変更
【補正の内容】
【請求項１】
厚手の長方形の鉄製の平板でトタン押さえ部（１）を設け，そのトタン押さえ部（１）
の一番左端の中間にコの字型の厚手の鉄板をコの字から１８０度回転させて，トタン押
さえ部（１）にボルトで固定させ，トタン押さえ部取っ手（２）とし，更にコの字の縦面に同じ幅の鉄製板をLの字から左に１８０度回転させて背中合わせに固定させ，押さえ部取っ手延長部（１０）とし，トタン押さえ部（１）の右反対側に折り曲げ部（３）を蝶番（５）で連結し，一番右端にＬ型鋼（６−２）をＬの字から左に９０度回転させて，折り曲部（３）にボルトで固定させ，更にＬ型鋼（６−２）の内側にＬ型の鉄板をＬの字から左に１８０度回転させてボルトで固定して折り曲げ部取っ手（４）とし，更に折り曲げ部（３）の裏側には，トタンを折り曲げるＬ型鋼（６）をＬの字から右に９０度回転させて，折り曲げ部（３）の下に  ボルトで取り付け，トタン押さえ部（１）の裏面に，柔らかい合成樹脂（７）を密着固定させた，腕力が弱くても曲げられるトタン曲げ具。
【手続補正２】
【補正対象書類名】明細書
【補正対象項目名】０００５
【補正方法】変更
【補正の内容】
【０００５】
課題を解決するために本発明は，以下の構成とした。
厚手の長方形の鉄製の平板でトタン押さえ部（１）を設け，そのトタン押さえ部（１）
の一番左端の中間にコの字型の厚手の鉄板をコの字から左に１８０度回転させて，
トタン押さえ部（１）にボルトで固定させ，トタン押さえ部取っ手（２）とし，更に
コの字の縦面に同じ幅のＬ型の鉄製板をLの字から左に１８０度回転させて背中合わ
せに固定させ，押さえ部取っ手延長部（１０）とした。
トタン押さえ部（１）の右反対側に折り曲げ部（３）を蝶番（５）で連結し，一番
右端にＬ型鋼（６−２）をＬの字から左に９０度回転させて，折り曲げ部（３）
にボルトで固定させ，更にＬ型鋼（６−２）の内側にＬ型の鉄製板をＬの字から左に
１８０度回転させてボルトで固定して折り曲げ部取っ手（４）とした。
更に折り曲げ部（３）の裏側には，トタンを折り曲げるＬ型鋼（６）をＬの字から
右に９０度回転させて，折り曲げ部（３）の下に  ボルトで取り付け，トタン押さ
え部（１）の裏面にはトタンに傷がつかないように柔らかい合成樹脂（７）を貼り
付けた。
トタン押さえ部（１）の下に９０度に曲げたトタン（１１）を折り曲げた箇所を下
向に設置して，トタン押さえ部取っ手（２）を手で押さえ，反対の手で，折り曲げ
部取っ手を下に力を加えるとトタンを１８０度に曲げる事ができる。
【手続補正３】
【補正対象書類名】明細書
【補正対象項目名】０００８
【補正方法】変更
【補正の内容】
【０００８】
トタン押さえ部    
厚手の長方形の鉄製の平板でトタン押さえ部（１）を設け，そのトタン押さえ部
（１）の一番左端の中間にコの字型の厚手の鉄板をコの字から左に１８０度回転させ
て，トタン押さえ部（１）にボルトで固定させ，トタン押さえ部取っ手（２）とした。
更にコの字の縦面に同じ幅のＬ型の鉄製板をLの字から左に１８０度回転させて背
中合わせに固定させ，押さえ部取っ手延長部（１０）とした。
トタン押さえ部（１）の裏面にはトタンに傷がつかないように柔らかい合成樹脂（７）
を貼り付けた。
この部分は、トタンを１８０度曲げる時、トタンを押さえる部分である。
【手続補正４】
【補正対象書類名】明細書
【補正対象項目名】０００９
【補正方法】変更
【補正の内容】
【０００９】
トタン折り曲げ部
トタン押さえ部（１）の右反対側に折り曲げ部（３）を設ける。
トタン折り曲げ部は、一番右端にＬ型鋼（６−２）をＬの字から左に９０度回転させ
て，折り曲げ部（３）にボルトで固定させ，更にＬ型鋼（６−２）の内側にＬ型の鉄
製板をＬの字から左に１８０度回転させてボルトで固定して折り曲げ部取っ手（４）
とした。更に折り曲げ部（３）の裏側には，トタンを折り曲げるＬ型鋼（６）をＬの
字から右に９０度回転させて，折り曲げ部（３）の下に  ボルトで取り付ける。
トタン押さえ部（１）とトタン折り曲げ部（３）を蝶番（５）で連結させる。
使い方は、トタン（１１）を作業机の上に置く。この時、９０度に折れ曲がった部分（８）
が作業台の端から外に出るようにずらしておく。
トタン押さえ部をトタンの上に置いて、トタンがずれないように力を入れる。
９０度折れ曲がった部分（８）にＬ型鋼（６）にあてがい、蝶番（５）を中心にトタ
ン折り曲げ部を下方に回転させる。これによりトタン（１１）を（８）の部分で１８
０度折り曲げることができる。
腕力が落ちると，仕事の時間がかかるだけでなく仕上がりの上手・下手の影響にも繋
がる。従って若い人も，腕力が無くなって来た人も，本発明のトタン曲げ具を工具とし
て使用することは，技術力の向上にも役立つものである。これにより，年齢的に体力や
腕力がなくなった人でも簡単にトタンを曲げる事ができる構造とした。